(57)【要約】【課題】近年の契約では約款や規約等の文章が長くなる場合があるが、そのような場合には、文字を小さくして対応することが考えられる。しかし、申込者として高齢者が想定される場合が増えており、文字の大きさを小さくすることは好ましくない。また、契約のための説明や約款・規約の文章は、契約内容によっては読みにくくならないように、政令などによって文字の大きさが８ポイントや1２ポイント以上などと規定されている場合がある。  そこで、説明や約款、規約等を契約書とは別の冊子として事業者が申込者に交付することも行われている。しかし、そのような冊子は交付し忘れる可能性がある。【解決手段】契約に関する説明が記載された説明用紙と説明兼記入用紙とを面接着し、複写用紙と説明兼記入用紙とを天糊により接着する。【選択図】  図２
2017100404.tif 000002
【特許請求の範囲】
【請求項１】
契約に関する説明が記載された説明用紙と、
契約に関する説明が記載されているととともに記入欄を有する説明兼記入用紙と、
前記記入欄に記入した内容が複写される複写用紙と、
を有する契約申込書において、
前記説明用紙と前記説明兼記入用紙は用紙端部近傍で面接着され、
前記説明兼記入用紙と複写用紙は天糊により接着されていることを特徴とする契約申込書。
【請求項２】
前記説明兼記入用紙は、少なくとも二つに折られていることを特徴とする請求項１に記載の契約申込書。
【請求項３】
前記説明兼記入用紙の二つ折りの折り部は中心からずれており、前記折り部から一端部までの長さは、前記折り部から他端部までの長さより長いことを特徴とする請求項２に記載の契約申込書。
【請求項４】
前記説明兼記入用紙において、前記折り部からみて前記一端部の側には前記記入欄が設けられ、前記他端部の側には前記説明が記載されていることを特徴とする請求項３に記載の契約申込書。
【請求項５】
折られている状態での前記説明兼記入用紙の前記一端部と、前記他端部の間隔は、前記説明兼記入用紙に接着した前記説明用紙の端部と、前記説明兼記入用紙の前記他端部との間隔より大きいことを特徴とする請求項４に記載の契約申込書。
【請求項６】
前記説明用紙には、第２説明用紙が用紙端部近傍で面接着され、前記説明用紙と、前記第２説明用紙の他端部の間隔は、前記説明兼記入用紙に接着した前記説明用紙の端部と、前記説明兼記入用紙の前記他端部との間隔と略等しいことを特徴とする請求項５に記載の契約申込書。
【請求項７】
前記第２説明用紙は複数枚で構成されており、複数の前記第２説明用紙の端部は、前記説明用紙の端部と、前記説明兼記入用紙の前記他端部との間隔と略等しいことを特徴とする請求項６に記載の契約申込書。
【発明の詳細な説明】
【技術分野】
【０００１】
本発明は、申込者向けに事業者が準備して使用する、複数枚で構成される申込書に関し、具体的には、リース契約申込書、クレジット契約申込書、カード入会申込書、口座設定申込書、保険契約申込書、入会申込書等に関するものである
【背景技術】
【０００２】
複数枚の帳票で構成される申込書は、一般的に、記入欄がある記入用紙と、記入した内容が複写される複写用紙等により構成されている。
【０００３】
契約に際して、申込者の意思に反した契約を行われないように、事業者は申込者に対して帳票冊子その他の説明資料に基づいて契約について十分な説明を行わなければならない。そして、事業者は、契約に関する申込者の意思表明である契約申込書を確実に作成し、規約や約款を含んだ契約書類を申込者に引渡し、事業者が自らも保管する。
【０００４】
また、契約の当事者である申込者は、約款・規約といった文章に記載された契約の内容を十分理解し、確実に契約申込書の記入欄に記入や捺印などを行う。そして、契約に関わる説明文や約款・規約といった文章と共に契約書類を受領して保管することが求められる。保管は、もしも契約後に疑問の生じた場合やトラブルの際に、契約書類等により契約の内容を確認するために必要である。
【０００５】
契約の当事者である申込者が契約について十分に理解できないまま契約を行うと、トラブルの原因となるので、これを防止するため法令などで事業者の説明義務を明確にしている場合も多い。
【０００６】
たとえば、クーリングオフが適用される契約の申し込みでは、規約や約款、契約内容等の重要事項を記載した書面を、事業者が申込者に交付してからクーリングオフ期間が開始する。したがって、規約や約款等の書類を事業者が申込者に渡し忘れた場合には、クーリングオフの期間が開始せず、いつまででもクーリングオフできることとなってしまう。
【先行技術文献】
【特許文献】
【０００７】
【特許文献１】特開２００８―２７９７４９号公報
【特許文献２】特開２０１０―０８９３１４号公報
【発明の概要】
【発明が解決しようとする課題】
【０００８】
特開２００８―２７９７４９号公報（特許文献１）及び特開２０１０―０８９３１４号公報（特許文献２）に示されている契約申込書は、用紙の裏面に約款や規約を記載するものである。しかしながら、申込者に交付されるのは、記入用紙か複写用紙のうちの１枚である場合が多く、その場合の用紙の裏面の広さは限られている。
【０００９】
一方、近年の契約では約款や規約等の文章が長くなる場合がある。そのような場合には、文字を小さくして対応することが考えられるが、申込者として高齢者が想定される場合が増えており、文字の大きさを小さくすることは好ましくない。また、契約のための説明や約款・規約の文章は、契約内容によっては読みにくくならないように、政令などによって文字の大きさが８ポイントや1２ポイント以上などと規定されている場合がある。
【００１０】
そこで、説明や約款、規約等を契約書とは別の冊子として事業者が申込者に交付することも行われている。しかし、そのような冊子は交付し忘れる可能性がある。
【００１１】
申込者に交付する用紙だけを大きくして折りたたむことにより裏面を広くすることも考えられるが、印刷機械の仕様により用紙を大きくするには限界がある。たとえば、Ａ４の大きさの契約申込書の場合にはＡ３で印刷して二つ折りにする程度までであり、Ａ３以上に長い用紙を用いることは印刷機械や用紙のコスト等の面から困難である。
【課題を解決するための手段】
【００１２】
本発明は、上述した課題を解決するために、以下の構成を採用する。
【００１３】
（１）本発明は、契約に関する説明が記載された説明用紙と、契約に関する説明が記載されているととともに記入欄を有する説明兼記入用紙と、前記記入欄に記入した内容が複写される複写用紙と、を有する契約申込書において、前記説明用紙と前記説明兼記入用紙は用紙端部近傍で面接着され、前記説明兼記入用紙と複写用紙は天糊により接着されていることを特徴とする契約申込書である。
【００１４】
本発明により、説明部に約款等の説明を多く掲載しつつ、記入欄と説明部は容易に分離されずに複写用紙だけを容易に分離することができる。そのため、説明書と記入用紙が一体となっているので、事業者は記入用紙と契約に関する説明書をセットで申込者に渡すことができる。また、申込後に申込者が説明書類を廃棄したり失くしたりするのを防ぐことができる。
【００１５】
（２）また本発明は、前記説明兼記入用紙は、少なくとも二つに折られていることを特徴とする（１）の契約申込書である。
【００１６】
本発明により、記入用紙を説明用紙と単に面接着した場合と比べて、記入欄の掲載部を開きやすくすることができる。
【００１７】
（３）また本発明は、前記説明兼記入用紙の二つ折りの折り部は中心からずれており、折り部から一端部までの長さは、折り部から他端部までの長さより長いことを特徴とする（２）の契約申込書である。
【００１８】
本発明により、説明兼記入用紙の記入欄の部分を簡単に開くことができる。
【００１９】
（４）また本発明は、前記説明兼記入用紙において、前記折り部からみて前記一端部の側には前記記入欄が設けられ、前記他端部の側には前記説明が記載されていることを特徴とする（３）の契約申込書である。
【００２０】
本発明により、複写用紙に複写しない他端部側に説明が記載されるため、説明部を広くすることができる。
【００２１】
（５）また本発明は、折られている状態での前記説明兼記入用紙の前記一端部と、前記他端部の間隔は、前記説明兼記入用紙に接着した前記説明用紙の端部と、前記説明兼記入用紙の前記他端部との間隔より大きいことを特徴とする（４）の契約申込書である。
【００２２】
本発明により、説明部を開きやすく、記入欄はさらに開きやすいものとすることができる。
【００２３】
（６）また本発明は、前記説明用紙には、第２説明用紙が用紙端部近傍で面接着され、前記説明用紙と、前記第２説明用紙の他端部の間隔は、前記説明兼記入用紙に接着した前記説明用紙の端部と、前記説明兼記入用紙の前記他端部との間隔と略等しいことを特徴とする（５）の契約申込書である。
【００２４】
本発明により、説明部を広くとることができる。
【００２５】
（７）また本発明は、前記第２説明用紙は複数枚で構成されており、複数の端部は、前記説明用紙の端部と、前記説明兼記入用紙の前記他端部との間隔と略等しいことを特徴とする（６）の契約申込書である。
【００２６】
本発明により、説明部をさらに広くとることができ、必要な分量の説明書の配置が可能である。また、第２説明用紙も開きやすくすることができる。
【発明の効果】
【００２７】
本発明の契約申込書では、約款や規約等の説明部を広くとることができるとともに、申込者への交付し忘れを防止することができる。また、記入面を容易に開くことができる。
【図面の簡単な説明】
【００２８】
【図１】図１は、実施例１，２に共通の契約申込書の平面図である。
【図２】図２は、実施例１を模式的に例示するための図１の断面図である。
【図３】図３は、実施例２を模式的に例示するための図１の断面図である。
【発明を実施するための形態】
【００２９】
以下、本発明の実施の形態に基づいて説明する。ただし、以下で説明する本実施形態は、あらゆる点において本発明の例示に過ぎない。本発明の範囲を逸脱することなく種々の改良や変形が行われてもよい。つまり、本発明の実施にあたって、実施形態に応じた具体的構成が適宜採用されてもよい。
【００３０】
図１は、本発明の実施の形態に係る契約申込書の平面図である。説明用紙１３と第２説明用紙１２、説明兼記入用紙１４には、約款や規約、説明等の契約に関する説明が記載されている。また、説明兼記入用紙１４は記入欄も備えている。契約申込書１，１１は、複数の用紙を左端で揃えて重ねた状態で左端または左端近傍で糊付けされている。２枚の第２説明用紙１２は左右幅が１ｍｍ異なっており、第２説明用紙自由端２０では１ｍｍずれている。その下の説明用紙１３はさらに１ｍｍ大きい幅であるため、説明用紙自由端２１ではさらに１ｍｍずれている。説明兼記入用紙１４は二つに折られており、用紙説明側１４ａと用紙記入側１４ｂを形成する。用紙説明側１４ａの説明側自由端２２（他端部）と、用紙記入側１４ｂの記入側自由端２３（一端部）との間は５ｍｍずれている。また、用紙記入側１４ｂに隠れて、複写用紙１５が説明兼記入用紙１４に糊付けされている。
【００３１】
本実施の形態では自由端側がずれた状態で折りや糊付けがなされているため、ページをめくりやすい。そのため、事業者が申込者に説明をする際に、２枚めくりをしてしまい約款等の一部の説明を忘れることを防止する効果を奏する。また、説明兼記入用紙１４の説明側自由端２２と記入側自由端２３は大きくずれているため、記入欄について特に開きやすくなっている。
【００３２】
図１において、説明側自由端２２と記入側自由端２３の間を開くと、用紙記入側１４ｂの記入欄が現われて、申込者等は氏名や住所等の必要事項を記入することができる。そして、記入事項は筆圧により複写用紙１５に複写される。
【００３３】
本発明では２種類の糊の張り付け方を使い分けて用いる。一つの張り付け方は、「張り込み」や「線糊」と言われる、用紙の面の部分で強固に接着する面接着であり、もう一つは用紙の端部で接着する用紙をはがしやすい天糊である。以下の実施例１，２により、糊の張り付け方を含めて説明する。
【実施例１】
【００３４】
図２は、本発明の実施例１を模式的に例示するための図１の断面図であり、契約申込書１を図１のＡ−Ａで切断した状態を模式的に示す。
【００３５】
説明兼記入用紙１４は、図２の左方に示すように折り部２４で折られている。複数の第２説明用紙１２、説明用紙１３、説明兼記入用紙１４の用紙説明側１４ａは、図１，２の左端近傍である用紙端部近傍において、「張り込み」や「線糊」と言われる用紙の面での接着により、面接着２５されている。また、契約申込書１の左端全体は、図２のように天糊２６により接着されている。
【００３６】
折られている状態での契約申込書１は、上から複数枚の説明書部分、一枚の記入用紙、複数枚の複写用紙となっている。説明書部分は、用紙説明側１４ａ、用紙説明側１４ａに接着された説明用紙１３、さらに接着された複数枚の第２説明用紙１２からなっている。
【００３７】
説明書部分の一枚一枚の幅は、下に向かって段階的に等間隔（１ｍｍずつ）に大きくなっており、自由端において、第２説明用紙自由端２０と説明用紙自由端２１が延出している。説明書部分の最後のページである用紙説明側１４ａは、用紙記入側１４ｂと一続きの説明兼記入用紙１４になっており、用紙説明側１４ａと用紙記入側１４ｂの分割部分で折られて、折り部２４を形成している。説明兼記入用紙１４は、折り部２４を中心からずらしており、折り部２４から記入側自由端２３までの長さは、説明側自由端２２までの長さより長いため、折り部２４と反対の辺である自由端において用紙記入側１４ｂが露出する。用紙記入側１４ｂの露出幅は５ｍｍであり、説明用紙１３・第２説明用紙１２のずれによる１ｍｍの露出幅よりも明確に大きい。天糊２６によって、説明兼記入用紙１４の下に複写用紙１５が接続されていて、記入内容が複写される。複写用紙１５の端部は用紙記入側１４ｂの記入側自由端２３で揃えてあり、露出しない。
【００３８】
複数の第２説明用紙１２、説明用紙１３、説明兼記入用紙１４は、面接着２５と天糊２６により接着しているため、容易に切り離せないようになっている。一方で、説明兼記入用紙１４と複数の複写用紙１５は天糊２６のみによる接着であるため、それぞれを容易に切り離すことができる。
【００３９】
次に契約申込書１の製造方法について説明する。
まず、説明兼記入用紙１４を折り部２４で折る。この際に説明側自由端２２と記入側自由端２３を大間隔３２（５ｍｍ）だけずらすようにする。次に、張り込みまたは線糊の手法により用紙の面に線状に糊を載置し、複数の第２説明用紙１２、説明用紙１３、説明兼記入用紙１４を折り部２４近傍で面接着２５によって接着する。このとき第２説明用紙自由端２０，説明用紙自由端２１，説明側自由端２２は小間隔（１ｍｍ）ずつずらすようにする。その次に、説明兼記入用紙１４と複写用紙１５を折り部２４の場所で揃えて、天糊２６で接着して、図２に記載された契約申込書１が完成する。
【００４０】
次に申込の際の契約申込書１の使い方について説明する。
事業者は第２説明用紙１２、説明用紙１３及び説明兼記入用紙１４の用紙説明側１４ａに記載されている説明や約款等を説明する。このとき、説明用紙１３等の自由端の小間隔３０，３１のずれにより、説明用紙１３及び第２説明用紙１２を容易にめくることができる。そして、説明が終了して申込者の申込意思を確認したのちに大間隔３２のずれを利用して説明兼記入用紙１４を開くと、用紙記入側１４ｂに設けられた記入欄が表出する。申込者等が記入欄に住所・氏名等の必要事項を記入すると筆圧により複写用紙１５に必要事項が複写される。
【００４１】
複写用紙１５は天糊２６により接着されているので、事業者はこの部分で説明兼記入用紙１４と複写用紙１５を分離する。そして、説明兼記入用紙１４と説明用紙１３、第２説明用紙１２を一体として、事業者が申込者に交付する。これにより、説明用紙１３、第２説明用紙１２を交付し忘れることがない。
【実施例２】
【００４２】
図３は、本発明の実施例２を模式的に例示するための図１の断面図であり、契約申込書１１を図１のＡ−Ａで切断した状態を模式的に示す。製造手順の違いから、天糊２６は、説明兼記入用紙１４の折り部２４と複数の複写用紙１５の左端を接着し、複数の第２説明用紙１２、説明用紙１３の左端には設けられない。その他の構成は同じである。
【００４３】
契約申込書１１の製造方法について説明する。
まず、説明兼記入用紙１４を折り部２４で折る。この際に説明側自由端２２と記入側自由端２３を大間隔３２だけずらすようにする。次に、説明兼記入用紙１４と複写用紙１５を折り部２４の場所で揃えて、天糊２６で接着する。その次に、張り込みまたは線糊の手法により用紙の面に線状に糊を載置し、複数の第２説明用紙１２、説明用紙１３、説明兼記入用紙１４を折り部２４近傍で面接着２５によって接着して、図３に記載された契約申込書１１が完成する。
【００４４】
上記実施例１，２により発明を実施するための形態を説明したが、第２説明用紙１２、説明用紙１３、説明兼記入用紙１４の説明部は、約款や規約、説明のほか、記入見本が記載されていてもよい。また、説明兼記入用紙１４の用紙記入側１４ｂの一部にも説明等が記載されていてもよい。
【符号の説明】
【００４５】
１        契約申込書
１１      契約申込書
１２        第２説明用紙
１３        説明用紙
１４        説明兼記入用紙
１４ａ      用紙説明側
１４ｂ      用紙記入側
１５        複写用紙
２０        第２説明用紙自由端
２１        説明用紙自由端
２２        説明側自由端
２３        記入側自由端
２４        折り部
２５        面接着
２６        天糊
３０，３１  小間隔
３２        大間隔
【図１】
2017100404.tif 000003
【図２】
2017100404.tif 000004
【図３】
2017100404.tif 000005